(57)【要約】【課題】比較的簡素な構成で、商品取出口の内部を良好に照明する。【解決手段】照明装置３０Ｌ，３０Ｒは、自動販売機１の商品取出口１０内の左右両側部に配置されて、商品取出口１０の内部を照明する。照明装置３０Ｌ，３０Ｒは、各々が、光源収容ケース３１と光拡散ケース３２とを備える。光源収容ケース３１は側板１５にボルト締結される。光源収容ケース３１は、光源である複数のＬＥＤ素子３３を収容している。光源収容ケース３１に取り付けられた光拡散ケース３２の傾斜面３２ｃは、ＬＥＤ素子３３から離れるほど商品取出口１０内の底部（商品受容部材１４）に近づくように傾斜している。ＬＥＤ素子３３から照射される光は、傾斜面３２ｃの内面（粗面）にて拡散され、傾斜面３２ｃを透過して、傾斜面３２ｃの外面から商品取出口１０内へ出射される。傾斜面３２ｃでは、その面全体で、光が散らばりつつ発光する。【選択図】図４
2014215870.tif 000002
【特許請求の範囲】
【請求項１】
商品取出口内の少なくとも一方の側部に配置されて、前記商品取出口の内部を照明する、自動販売機用の照明装置。
【請求項２】
前記商品取出口内の中央部に向かって光を照射する光源と、
前記光源からの光を透過し拡散する光拡散部材と、
を含んで構成される、請求項１に記載の自動販売機用の照明装置。
【請求項３】
前記光拡散部材は、前記光源からの光を入射面から入射し、拡散して、出射面から出射する、請求項２に記載の自動販売機用の照明装置。
【請求項４】
前記出射面は、前記光源から離れるほど前記商品取出口内の底部に近づくように傾斜している、請求項３に記載の自動販売機用の照明装置。
【請求項５】
前記出射面は、その面積が、前記入射面の面積よりも大きい、請求項３又は請求項４に記載の自動販売機用の照明装置。
【請求項６】
前記出射面は、前記自動販売機の本体内から前記商品取出口内へ搬出された商品を前記商品取出口内の中央部に向けて案内する、請求項３〜請求項５のいずれか１つに記載の自動販売機用の照明装置。
【請求項７】
前記商品取出口は、前記自動販売機の下部に設けられている、請求項１〜請求項６のいずれか１つに記載の自動販売機用の照明装置。
【請求項８】
請求項１〜請求項７のいずれか１つに記載の自動販売機用の照明装置を含んで構成される自動販売機。
【請求項９】
前記自動販売機の本体内から前記商品取出口内へ搬出される商品の搬出位置に応じて前記照明装置の点灯状態を変更する制御部を更に含んで構成される請求項８に記載の自動販売機。
【発明の詳細な説明】
【技術分野】
【０００１】
本発明は、自動販売機用の照明装置、及び自動販売機に関し、特に、自動販売機の商品取出口の内部を照明する装置に関する。
【背景技術】
【０００２】
各種容器に充填された飲料などの商品を販売する自動販売機については、その商品取出口の内部を照明する手法として、商品取出口の上方から商品取出口の内部に光を照射する手法（特許文献１参照）や、商品取出口の下方から商品取出口の内部に光を照射する手法（特許文献２参照）が知られている。
【先行技術文献】
【特許文献】
【０００３】
【特許文献１】特開２００７−３３４４５８号公報
【特許文献２】特公昭６０−４００７６号公報
【発明の概要】
【発明が解決しようとする課題】
【０００４】
しかしながら、商品取出口の上方から商品取出口の内部に光を照射する場合には、商品取出口内の中央部では商品が明るく照らされる一方、商品取出口内の側部では中央部に比べて暗くなり、商品が見えにくくなる傾向があった。
また、商品取出口の下方から商品取出口の内部に光を照射する場合には、商品の容器がアルミ缶やスチール缶であると、商品のうち光が照射されない側（具体的には、容器の上面側）が影となって暗くなり、商品のラベルなどが見えにくくなる傾向があった。
【０００５】
更に、光源としてＬＥＤ素子を採用して、商品取出口の上方又は下方から商品取出口の内部に光を照射する場合には、商品取出口の幅方向にわたって多数のＬＥＤ素子を配置する必要があり、その結果、部品点数が増大するおそれがあった。
本発明は、このような実状に鑑み、比較的簡素な構成で、商品取出口内の商品を良好に照明することを目的とする。
【課題を解決するための手段】
【０００６】
そのため本発明に係る自動販売機用の照明装置は、商品取出口内の少なくとも一方の側部に配置されて、商品取出口の内部を照明する。
また、本発明に係る自動販売機は、商品取出口内の少なくとも一方の側部に配置されて、商品取出口の内部を照明する自動販売機用の照明装置を含んで構成される。
【発明の効果】
【０００７】
本発明によれば、自動販売機用の照明装置は、商品取出口内の側部に配置されて、商品取出口の内部を照明する。これにより、商品取出口内の側部に搬出された商品を良好に照らすことができるので、当該商品を良好に視認することができる。また、商品の容器の上面側が影にならないので、商品のラベルなどを良好に視認することができる。従って、商品取出口内の商品を良好に照明して、商品の視認性を向上させることができる。
【０００８】
また、本発明によれば、自動販売機用の照明装置は、商品取出口内の側部に配置される。これにより、光源としてＬＥＤ素子を採用する場合には、商品取出口の上方又は下方から商品取出口の内部に光を照射する手法に比べて少数の光源で商品取出口内の略全域を照明することができるので、当該照明装置を比較的簡素に構成することができる。
【図面の簡単な説明】
【０００９】
【図１】自動販売機の一例を示す斜視図
【図２】図１に示す自動販売機において、外扉が開いた状態を示す図
【図３】本発明の一実施形態における照明装置を商品取出口に取り付ける前の状態を示す図
【図４】同上実施形態における照明装置を商品取出口に取り付けた後の状態を示す図
【図５】同上実施形態における右側の照明装置の概略構成を示す図
【図６】図５のＡ−Ａ断面図
【図７】同上実施形態における左側の照明装置の概略構成を示す図
【図８】照明装置の点灯制御方法の一例を示すブロック図
【図９】照明装置の点灯制御方法の一例を示すフローチャート
【図１０】右側の照明装置、及び、左側の照明装置の変形例を示す図
【発明を実施するための形態】
【００１０】
以下、本発明の実施の形態について、図面を参照して説明する。
【００１１】
図１は自動販売機の一例の概略構成を示す。図２は、図１に示す自動販売機において、外扉が開いた状態を示す。
図３及び図４は、図２の部分Ｐに対応しており、商品取出口を後方から見た図である。図３は、本発明の一実施形態における照明装置を商品取出口に取り付ける前の状態を示す。図４は、本実施形態における照明装置を商品取出口に取り付けた後の状態を示す。
尚、以下では、自動販売機について、前後・左右・上下を、図１に示すように便宜上規定して、説明する。
【００１２】
自動販売機１は、缶、ビン、ペットボトルなどの各種容器に充填された飲料などの商品を販売するものである。自動販売機１は、前面に開口した自動販売機本体２と、自動販売機本体２の前面を開閉する外扉３と、自動販売機本体２内の商品収納庫を開閉する断熱性の内扉４とを備える。外扉３の下部の前面には、商品取出口１０が設けられている。
外扉３は自動販売機本体２の幅方向一端側（図では左側）に回動自在に取付けられ、その前面には商品選択ボタン３ａ、硬貨投入口３ｂ、硬貨返却口３ｃ、紙幣投入口３ｄ等が設けられている。
【００１３】
内扉４の下部には、商品収納庫と商品取出口１０とを連通する商品搬出口２０が幅方向（左右方向）に複数（図では３つ）開設され、商品収納庫に収納された商品が商品搬出口２０を介して商品取出口１０内に搬出されるようになっている。ここで、各商品搬出口２０は、商品取出口１０の後方に位置し得る。また、各商品搬出口２０の上端側には、商品搬出口２０を開閉する搬出扉２１が取り付けられている。搬出扉２１は、商品収納庫から商品搬出口２０へと搬出された商品によって押し開けられ、商品を商品取出口１０内へと搬出するようになっている。
【００１４】
商品取出口１０は、外扉３の下部に開設された開口部１１と、開口部１１を開閉するための開閉扉１２と、搬出扉２１の不正な開放を規制するための防盗板１３と、を有している。開口部１１は、商品搬出口２０の前方に位置する外扉３の前面を幅方向に延びる略矩形形状をなしている。また、本実施形態では、開口部１１の幅（左右方向の長さ）は、複数の商品搬出口２０の全幅（すなわち、左側の商品搬出口２０の左端から右側の商品搬出口２０の右端までの距離）よりも小さい。
【００１５】
開口部１１の背面側の下方には、商品搬出口２０を介して商品収納庫から搬出された商品を受容するための商品受容部材１４が配設されている。商品受容部材１４は、複数の商品搬出口２０の全幅と略同一の幅を有する。商品受容部材１４は上面開口の浅皿状をなしており、公知の手段によって外扉３に固定されている。商品受容部材１４の上面には、搬出された商品を受容するときの衝撃を和らげるためにシート状のクッション材（図示せず）が設けられている。このクッション材は、例えば、黒色又は灰色である。
【００１６】
外扉３の背面側における開口部１１付近には、商品受容部材１４の左右両端から上方へと延びる金属製の側板１５が設けられている。
開口部１１の背面側の上方には、前方に向かって下り傾斜した上面板（図示せず）が配設されている。
ここで、商品取出口１０を構成する商品受容部材１４と、側板１５と、上述の上面板とによって区画形成される内部空間が、本発明の「商品取出口の内部」に対応している。
【００１７】
開閉扉１２は、合成樹脂などの透明板からなり、開口部１１の背面側の上部に上端が回転自由に取り付けられている。開閉扉１２は、開口部１１を閉じた状態で上方からの商品の視認性を向上させるべく、その上部が斜めに形成されている。開閉扉１２は、下端側を前方に回転させることによって開口部１１を開放し、自重によって開口部１１を閉鎖する。
【００１８】
防盗板１３は、幅方向に延びる金属製の板状部材からなり、商品搬出口２０と開口部１１との間に配設されている。防盗板１３は、上述の上面板の下面側に連結軸を介して前後に回転自由に端部が取り付けられている。防盗板１３は、開口部１１から挿入された手によって後方に回転し、下端側が搬出扉２１の前面に接触することにより、搬出扉２１の前方への回転を規制する。尚、自動販売機１を室内に設置するなど、搬出扉２１の不正な開放を規制する必要がない場合には、防盗板１３を設けなくてもよい。
【００１９】
右側の側板１５には、右側の照明装置３０Ｒがボルト１６で固定されている。左側の側板１５には、左側の照明装置３０Ｌがボルト１６で固定されている。すなわち、商品取出口１０内には、自動販売機１の正面から見て（図１参照）、左右方向の両側部に、照明装置３０Ｌ，３０Ｒがそれぞれ配置されている。右側の照明装置３０Ｒは、商品取出口１０内のうち、開口部１１より右側の部分に配置され得る。左側の照明装置３０Ｌは、商品取出口１０内のうち、開口部１１より左側の部分に配置され得る。
【００２０】
次に、右側の照明装置３０Ｒの構成について、図３及び図４に加えて、図５及び図６を用いて説明する。
図５（ａ）は、右側の照明装置３０Ｒの上面図である。図５（ｂ）は、図５（ａ）のＢ
矢視図である。図５（ｃ）が、図５（ａ）のＣ矢視図である。図６は、図５（ａ）のＡ−Ａ断面図である。
【００２１】
照明装置３０Ｒは、光源収容ケース３１と光拡散ケース３２とを備える。
光源収容ケース３１は、中空で略直方体状の透明なケースであり、例えば、ポリカーボネート製である。
【００２２】
光源収容ケース３１の右側端面（基端面）には、複数のねじ孔３５が予め形成されている（図３参照）。また、右側の側板１５のうち、ねじ孔３５に対応する位置に、貫通孔（図示せず）が予め設けられている。ボルト１６は右側の側板１５の貫通孔に挿入され、ボルト１６の雄ねじ部が光源収容ケース３１のねじ孔３５に螺合する。このようにして、光源収容ケース３１は、右側の側板１５にボルト締結される。また、光源収容ケース３１の右側端面には貫通孔（図示せず）が予め形成されており、この貫通孔には、後述する基板３４を介してＬＥＤ素子３３に電力を供給する電力線（図示せず）が挿入される。右側の側板１５にも、上記電力線を通すための貫通孔（図示せず）が予め形成されている。
【００２３】
光源収容ケース３１は、光源である複数のＬＥＤ素子３３と、これらＬＥＤ素子３３が取り付けられた基板３４と、を収容している。
ＬＥＤ素子３３は板状であり、その表面に発光面３３ａが形成されている。本実施形態では、例えば３つのＬＥＤ素子３３が、自動販売機１の前後方向に直列に基板３４に実装されている。
【００２４】
基板３４は、例えば、銅箔がプリントされた樹脂材料からなり、板状に形成されている。基板３４は、ＬＥＤ素子３３の発光面３３ａから照射される光が、商品取出口１０内の中央部に向かうように、図示しないブラケットを介して、光源収容ケース３１に取り付けられている。尚、本実施形態では、ＬＥＤ素子３３の発光面３３ａから照射される光が、水平方向より若干下向きとなるように、基板３４が光源収容ケース３１に取り付けられている。
【００２５】
光拡散ケース３２は、その右側端面（基端面３２ｄ）が光源収容ケース３１の左側端面に取り付けられている。
光拡散ケース３２は、右側面開口で中空な箱型ケースであり、例えば、ポリカーボネート製である。
光拡散ケース３２は、その底面３２ａが、商品受容部材１４の上面に対応する形状をなしている。光拡散ケース３２の底面３２ａは、照明装置３０Ｒが右側の側板１５に固定されているときに、商品受容部材１４の上面に接触する。
【００２６】
光拡散ケース３２は、その上面３２ｂの左側端部から左方に向かって下り傾斜して底面３２ａに達する傾斜面３２ｃを備える。換言すれば、光拡散ケース３２の傾斜面３２ｃは、ＬＥＤ素子３３から離れるほど商品取出口１０内の底部（すなわち商品受容部材１４）に近づくように傾斜している。また、光拡散ケース３２については、傾斜面３２ｃの面積が、右側端面（基端面３２ｄ）の面積よりも大きい。
光拡散ケース３２は、その外面が磨き加工されている一方、内面が粗面のままとなっている。それゆえ、光拡散ケース３２は、透明なケースにスモークがかかったような外観を有している。
【００２７】
尚、本実施形態では、ＬＥＤ素子３３の発光面３３ａから照射される光が、光拡散ケース３２の上面３２ｂと底面３２ａとの間を通って、光拡散ケース３２の傾斜面３２ｃに達するように、基板３４が光源収容ケース３１に取り付けられている。
【００２８】
自動販売機本体２内の電源（図示せず）から電力線及び基板３４を介してＬＥＤ素子３３に電力が供給されると、ＬＥＤ素子３３の発光面３３ａから光が照射され、この光が、光源収容ケース３１の左側端面を透過する。光拡散ケース３２は、この透過光を、右側端面（基端面３２ｄ）から入射して、傾斜面３２ｃの内面（粗面）にて拡散させ、傾斜面３２ｃを透過させて、傾斜面３２ｃの外面から商品取出口１０内へ出射する。すなわち、光拡散ケース３２は、本発明の光拡散部材として機能して、光源（ＬＥＤ素子３３）からの光を透過し拡散する。また、光拡散ケース３２の右側端面（基端面３２ｄ）が、本発明の光拡散部材の入射面として機能する。また、光拡散ケース３２の傾斜面３２ｃが、本発明の光拡散部材の出射面として機能する。
【００２９】
傾斜面３２ｃでは、その面全体で、光が散らばりつつ発光する。これにより、間接照明のような、柔らかい光（換言すれば、淡い光）で、商品取出口１０の内部を照明することができる。
【００３０】
尚、右側の照明装置３０Ｒの光拡散ケース３２の傾斜面３２ｃは、右側の商品搬出口２０から商品取出口１０内へ搬出された商品を商品取出口１０内の中央部に向けて案内する機能を有する。
【００３１】
図７（ａ）は、左側の照明装置３０Ｌの上面図である。図７（ｂ）は、図７（ａ）のＤ矢視図である。図７（ｃ）は、図７（ａ）のＥ矢視図である。
左側の照明装置３０Ｌの構成は、上述の右側の照明装置３０Ｒの構成の説明において、左右を入れ替えたものと同様であるので、その説明を省略する。
【００３２】
尚、左側の照明装置３０Ｌの光拡散ケース３２の長手方向の長さ（左右方向の長さ）は、上述の右側の照明装置３０Ｒの光拡散ケース３２の長手方向の長さ（左右方向の長さ）よりも長くなっている。また、左側の照明装置３０Ｌの光拡散ケース３２の傾斜面３２ｃの勾配の平均値は、右側の照明装置３０Ｒの光拡散ケース３２の傾斜面３２ｃの勾配の平均値よりも小さくなっている。
【００３３】
ここで、照明装置３０Ｌ，３０Ｒの各々の光拡散ケース３２の長手方向の長さ、及び、光拡散ケース３２の傾斜面３２ｃの勾配については、商品取出口１０の開口部１１の幅、商品受容部材１４の幅、複数の商品搬出口２０の全幅、商品の形態などを考慮して予め設定される。
【００３４】
次に、照明装置３０Ｌ，３０Ｒの点灯制御方法の一例について、図８及び図９を用いて説明する。
図８は、照明装置３０Ｌ，３０Ｒの点灯制御方法の一例を示すブロック図である。図９は、照明装置３０Ｌ，３０Ｒの点灯制御方法の一例を示すフローチャートである。
【００３５】
この制御方法の実現に際しては、商品選択ボタン３ａが周知のマイクロコンピュータからなる制御部４０に予め電気接続されている。この制御部４０は、外扉３又は自動販売機本体２に予め設けられている。また、この制御部４０には、自動販売機１への入金を確認する手段（図示せず）が予め設けられている。また、左側の照明装置３０ＬのＬＥＤ素子３３への電流の流通を切り替える左側照明装置用スイッチ４１Ｌと、右側の照明装置３０ＲのＬＥＤ素子３３への電流の流通を切り替える右側照明装置用スイッチ４１Ｒとが、それぞれ、上述の電力線に予め介装されている。左側照明装置用スイッチ４１Ｌ及び右側照明装置用スイッチ４１Ｒは、それぞれ、図示しない信号線を介して制御部４０に接続されており、制御部４０からの命令信号によって作動が制御される。
【００３６】
図９に示す照明装置３０Ｌ，３０Ｒの点灯制御方法の一例は、制御部４０によって実現され得る。
商品購入者が商品選択ボタン３ａを押すと（ステップＳ１）、制御部４０では、商品の価格分の入金が有るか否かを判定する（ステップＳ２）。
ステップＳ２にて、入金が有ると判定されるまで当該判定を繰り返し、入金が有ると判定されるとステップＳ３に進む。
【００３７】
ステップＳ３では、商品が、左側の商品搬出口２０から搬出されるか否かの判定を行う。この判定では、ステップＳ１にて押された商品選択ボタン３ａに基づいて判定が行われる。
商品が左側の商品搬出口２０から搬出されると判定されると、ステップＳ４に進み、第１照明モードが選択される。
【００３８】
第１照明モードでは、左側の商品搬出口２０から商品取出口１０内への商品の搬出時に、例えば、左側の照明装置３０Ｌが所定の時間間隔で２回点滅し、この後、左側の照明装置３０Ｌと右側の照明装置３０Ｒとが所定時間点灯する。
これにより、商品購入者は、自分が購入した商品の搬出位置が商品取出口１０内の左側であることを容易に把握することができる。
【００３９】
ステップＳ３にて、商品が左側の商品搬出口２０から搬出されないと判定されると、ステップＳ５に進む。
ステップＳ５では、商品が、右側の商品搬出口２０から搬出されるか否かの判定を行う。この判定では、ステップＳ１にて押された商品選択ボタン３ａに基づいて判定が行われる。
商品が右側の商品搬出口２０から搬出されると判定されると、ステップＳ６に進み、第２照明モードが選択される。
【００４０】
第２照明モードでは、右側の商品搬出口２０から商品取出口１０内への商品の搬出時に、例えば、右側の照明装置３０Ｒが所定の時間間隔で２回点滅し、この後、左側の照明装置３０Ｌと右側の照明装置３０Ｒとが所定時間点灯する。
これにより、商品購入者は、自分が購入した商品の搬出位置が商品取出口１０内の右側であることを容易に把握することができる。
【００４１】
ステップＳ５にて、商品が右側の商品搬出口２０から搬出されないと判定されると、ステップＳ７に進み、第３照明モードが選択される。
第３照明モードでは、中央の商品搬出口２０から商品取出口１０内への商品の搬出時に、例えば、左側の照明装置３０Ｌと右側の照明装置３０Ｒとが所定の時間間隔で２回点滅し、この後、左側の照明装置３０Ｌと右側の照明装置３０Ｒとが所定時間点灯する。
これにより、商品購入者は、自分が購入した商品の搬出位置が商品取出口１０内の中央部であることを容易に把握することができる。
【００４２】
このようにして、制御部４０は、商品搬出口２０から商品取出口１０内へ搬出される商品の搬出位置に応じて、照明装置３０Ｌ，３０Ｒの点灯状態を変更する制御を実行することができる。
【００４３】
ところで、従来の自動販売機においては、商品取出口に照明がないものが多い。このような自動販売機では、暗い商品取出口へ手を入れる不安感や、衛生的不信感などに起因して、商品購入者の、特に夜間の購買意欲が低下する懸念があった。
この点、本実施形態によれば、照明装置３０Ｌ，３０Ｒにより、商品取出口１０の内部が照明されるので、上述のような不安感や不信感を払拭することができる。
【００４４】
本実施形態によれば、照明装置３０Ｌ，３０Ｒは、商品取出口１０内の左右両側部にそれぞれ配置されて、商品取出口１０の内部を照明する。これにより、商品取出口１０内の側部に搬出された商品を良好に照らすことができるので、当該商品を良好に視認することができる。また、商品の容器の上面側が影にならないので、商品のラベルなどを良好に視認することができる。従って、商品取出口１０内の商品を良好に照明して、商品の視認性を向上させることができる。
【００４５】
また本実施形態によれば、照明装置３０Ｌ，３０Ｒは、商品取出口１０内の左右両側部にそれぞれ配置される。これにより、比較的少数のＬＥＤ素子３３を光源として商品取出口１０内の略全域を照明することができるので、照明装置３０Ｌ，３０Ｒを比較的簡素に構成することができる。
【００４６】
また本実施形態によれば、照明装置３０Ｌ，３０Ｒは、各々が、商品取出口１０内の中央部に向かって光を照射する光源（ＬＥＤ素子３３）と、この光源からの光を透過し拡散する光拡散部材（光拡散ケース３２）とを含んで構成される。これにより、光源からの直進性の高い光を、光拡散部材にて拡散することができるので、間接照明のような、柔らかい光（換言すれば、淡い光）で、商品取出口１０の内部を照明することができる。
【００４７】
また本実施形態によれば、光拡散部材（光拡散ケース３２）は、光源（ＬＥＤ素子３３）からの光を入射面（基端面３２ｄ）から入射し、拡散して、出射面（傾斜面３２ｃ）から出射する。これにより、比較的簡素な構成で、光源からの直進性の高い光を拡散させることができる。
【００４８】
また本実施形態によれば、光拡散ケース３２の出射面（傾斜面３２ｃ）は、光源（ＬＥＤ素子３３）から離れるほど商品取出口１０内の底部（商品受容部材１４）に近づくように傾斜している。これにより、出射面（傾斜面３２ｃ）の面全体からの柔らかい光の一部を、商品のバックライトとして利用することができる。
【００４９】
また本実施形態によれば、光拡散ケース３２の出射面（傾斜面３２ｃ）は、その面積が、光拡散ケース３２の入射面（基端面３２ｄ）の面積よりも大きい。これにより、光源（ＬＥＤ素子３３）から照射される光の発光面積が、実質的に、光拡散ケース３２の出射面（傾斜面３２ｃ）の面積まで拡張されるので、出射面（傾斜面３２ｃ）の面全体からの柔らかい光で、商品取出口１０内を広範囲にわたって照明することができる。
【００５０】
また本実施形態によれば、光拡散ケース３２の出射面（傾斜面３２ｃ）は、自動販売機本体２内（商品収納庫内）から商品搬送口２０を介して商品取出口１０内へ搬出された商品を商品取出口１０内の中央部に向けて案内する。これにより、商品取出口１０の開口部１１の幅が、複数の商品搬出口２０の全幅よりも小さい場合であっても、商品が商品取出口１０の開口部１１の後方に安定的に搬出されるので、商品取出口１０内の商品の視認性を良好に確保することができる。
【００５１】
また本実施形態によれば、自動販売機１の下部に設けられた商品取出口１０内の左右両側部に照明装置３０Ｌ，３０Ｒが配置されている。これにより、商品購入者の足元から強烈な光を発することなく、柔らかな光で、商品取出口１０の内部を照明することができる。
【００５２】
また本実施形態によれば、自動販売機１は、自動販売機本体２内（商品収納庫内）から商品搬送口２０を介して商品取出口１０内へ搬出される商品の搬出位置に応じて照明装置３０Ｌ，３０Ｒの点灯状態を変更する制御部４０を含んで構成される。これにより、商品購入者は、商品の搬出位置を容易に把握することができる。
【００５３】
尚、本実施形態では、照明装置３０Ｌ，３０Ｒが商品取出口１０内の左右両側部にそれぞれ配置される例を用いて説明したが、商品取出口１０内で要求される照明の明るさが、照明装置３０Ｌ，３０Ｒのいずれか一方で満たされる場合には、当該いずれか一方のみを商品取出口１０内の側部に配置すればよい。すなわち、本発明に係る自動販売機用の照明装置は、商品取出口内の少なくとも一方の側部に配置され得る。
【００５４】
また、本実施形態では、光拡散ケース３２の内面が粗面のままとなっており、この内面にて、光源からの光を拡散させているが、光の拡散手法はこれに限らない。例えば、光拡散ケース３２の内面にシボ加工を施して、当該内面にて光を拡散させてもよい。また、光拡散ケース３２を半透明の樹脂製とすることで、光拡散ケース３２が、光源からの光を透過し拡散するようにしてもよい。また、光源収容ケース３１と光拡散ケース３２との間に半透明の防水シート材などを介装することで、光源からの光を拡散するようにしてもよい。この場合には、半透明の防水シート材などが、本発明の光拡散部材として機能して、光源からの光を透過し拡散する。
【００５５】
図１０（ａ）は、右側の照明装置３０Ｒの変形例の概略構成を示し、図５（ｂ）のＦ−Ｆ断面に対応している。図１０（ｂ）は、左側の照明装置３０Ｌの変形例の概略構成を示し、図７（ｂ）のＧ−Ｇ断面に対応している。
【００５６】
これら変形例では、光拡散ケース３２の内側に、透明な板部材からなるリブ３８が設けられている。リブ３８は、格子状の断面形状を有し、光拡散ケース３２の長手方向（左右方向）に延在している。また、リブ３８は、例えばポリカーボネート製であり、光拡散ケース３２と一体的に形成され得る。
【００５７】
これら変形例では、光源であるＬＥＤ素子３３の発光面３３ａから照射される光の一部が、リブ３８を透過して、傾斜面３２ｃから出射される。これにより、傾斜面３２ｃには、格子状のリブ３８に対応した格子状の発光部が形成される。このようにして、傾斜面３２ｃ上に光の模様を形成することができるので、デザイン性の高い照明を提供することができる。
【符号の説明】
【００５８】
１  自動販売機
２  自動販売機本体
３  外扉
３ａ  商品選択ボタン
３ｂ  硬貨投入口
３ｃ  硬貨返却口
３ｄ  紙幣投入口
４  内扉
１０  商品取出口
１１  開口部
１２  開閉扉
１３  防盗板
１４  商品受容部材
１５  側板
１６  ボルト
２０  商品搬出口
２１  搬出扉
３０Ｌ  左側の照明装置
３０Ｒ  右側の照明装置
３１  光源収容ケース
３２  光拡散ケース
３２ａ  底面
３２ｂ  上面
３２ｃ  傾斜面
３２ｄ  基端面
３３  ＬＥＤ素子
３３ａ  発光面
３４  基板
３５  ねじ孔
３８  リブ
４０  制御部
４１Ｌ  左側照明装置用スイッチ
４１Ｒ  右側照明装置用スイッチ
【図１】
2014215870.tif 000003
【図２】
2014215870.tif 000004
【図３】
2014215870.tif 000005
【図４】
2014215870.tif 000006
【図５】
2014215870.tif 000007
【図６】
2014215870.tif 000008
【図７】
2014215870.tif 000009
【図８】
2014215870.tif 000010
【図９】
2014215870.tif 000011
【図１０】
2014215870.tif 000012